(57)【要約】【課題】物流において、送られる荷の情報を受け側が容易に取得できること、荷の到着確認などトレーサビリティに対応すること、及びパレット回収の確認ができるようにすること。【解決手段】複数の構成員間でＲＦタグ付きの荷を送受する物流を支援するシステムであって、各構成員が所有するＲＦタグリード手段と端末、及びＡＳＰに設定された情報処理部及び記憶部によって構成され、荷の送受に関係する関係構成員は荷の移動における任意のタイミングで、ＲＦタグリード手段でＲＦタグの固有ＩＤを読み取ると共に、該固有ＩＤ及びＲＦタグリード手段固有のロケーションコードを端末で情報処理部に送信し、これを受けた情報処理部は、ロケーションコード、荷の情報などを記録した公開ＲＦタグ情報を関係構成員ごとに作成又は更新し、関係構成員は、端末から情報処理部に接続し、自己の構成員情報が記録されている公開ＲＦタグ情報データを閲覧可能にしたことで、前記課題を解決する。【選択図】      図１
2012243252.tif 000002
【特許請求の範囲】
【請求項１】
複数の構成員間でＲＦタグ付きの荷を送受する物流を支援するシステムであって、
各構成員が所有するＲＦタグリード手段と端末、及びＡＳＰ（Application Service Provider）に設定された情報処理部及び記憶部によって構成され、
最初に荷を送る構成員は、ＲＦタグリード手段でＲＦタグの固有ＩＤを読み取ると共に、該固有ＩＤ、関係構成員情報、ＲＦタグリード手段固有のロケーションコード及び荷情報を含むＲＦタグ情報データを作成し、これを前記端末で前記情報処理部に送信し、
前記情報処理部は、前記ＲＦタグ情報データから、その関係構成員ごとに当該構成員情報及び固有ＩＤを含む公開ＲＦタグ情報データを作成すると共に前記記憶部に保存し、
その後、荷の移動における任意のタイミングで、構成員はＲＦタグリード手段でＲＦタグの固有ＩＤを読み取ると共に、該固有ＩＤ及びＲＦタグリード手段固有のロケーションコードを前記端末で前記情報処理部に送信し、
これを受けた前記情報処理部は、前記公開ＲＦタグ情報に新たなロケーションコードを記録して前記記憶部に保存し、
各構成員は、前記端末から前記情報処理部に接続し、自己の構成員情報が記録されている前記公開ＲＦタグ情報データを閲覧可能にしたことを特徴とする物流支援システム。
【請求項２】
前記ＲＦタグが荷を載せるパレットに取り付けられている請求項１に記載の物流支援システム。
【請求項３】
前記ＲＦタグ情報データ及び公開ＲＦタグ情報データが、ＲＦタグを読み取ったスキャン日時情報を含む請求項１又は２に記載の物流支援システム。
【請求項４】
受け側構成員の前記公開ＲＦタグ情報データには前記荷情報の全部又は一部が記録されない請求項１〜３のいずれかに記載の物流支援システム。
【発明の詳細な説明】
【技術分野】
【０００１】
本発明は、在庫管理、ロット管理、トレーサビリティなどに役立てることのできる物流支援システムに関する。
【背景技術】
【０００２】
従来、荷の輸送予定を予め知らせる場合、送り側から受け側に対し、納入日、積込日、製品名、数量、ロット番号などの荷情報を記載した書類をファクシミリなどで送付していた。受け側は、送付された荷情報を自己の管理システムに入力し、在庫管理やロット管理など種々の管理に利用する。実際に荷が受け側に到着すると、受け側は予め受けていた荷情報と突き合わせ、確認のうえ伝票処理を行う。
【０００３】
また、ＩＤ（IDentification）情報を埋め込んだＲＦタグは、データキャリアとしていろいろな分野で利用されている。しかし、ＲＦタグより取得した情報はシステムを開発したグループ内での利用に限られているのが現状である。
【０００４】
また、下記特許文献には、ＡＳＰ（Application Service Provider）を利用した物流管理支援システムが開示されている。
【先行技術文献】
【特許文献】
【０００５】
【特許文献１】特開２００１−３３５１１８
【特許文献２】特開２００４−９９２６８
【発明の概要】
【発明が解決しようとする課題】
【０００６】
前記の、荷情報を記載した書類をファクシミリなどで送付する方法は、受け側が送付された荷情報を自己の管理システムに入力する作業、荷が到着したときに荷情報と突き合わせる作業が煩雑で、入力ミスが発生するおそれもある。また、トレーサビリティ（流通経路の追跡可能性）が困難で、例えば送り側が受け側に荷が到着したことを確認できるのは、受け側が処理した伝票が戻ってきたときで、非常に時間を要する。
【０００７】
前記の特許文献に開示されている物流管理支援システムは、汎用性に乏しく、現実的でない。通常、物流に関わる企業は、既に自己の物流管理社内システムを構築しているが、このような自己の物流管理システムが利用できず、適合するシステムを再構築しなければならない場合もある。
【０００８】
また、荷はパレットに載せられ、パレット単位で輸送されることが多いが、そのような場合パレットの回収を確実に行うことは困難であった。
【０００９】
本発明は、ＲＦタグから取得した情報をＡＳＰを使って、任意の企業に情報提供できる仕組みを構築し、具体的には、送られる荷の情報を受け側が容易に取得できること、荷の到着確認などトレーサビリティに対応すること、パレット回収の確認ができるようにすることなどを目的とするものである。
【課題を解決するための手段】
【００１０】
本発明は、
複数の構成員間でＲＦタグ付きの荷を送受する物流を支援するシステムであって、
各構成員が所有するＲＦタグリード手段と端末、及びＡＳＰ（Application Service
Provider）に設定された情報処理部及び記憶部によって構成され、
最初に荷を送る構成員は、ＲＦタグリード手段でＲＦタグの固有ＩＤを読み取ると共に、該固有ＩＤ、関係構成員情報、ＲＦタグリード手段固有のロケーションコード及び荷情報を含むＲＦタグ情報データを作成し、これを前記端末で前記情報処理部に送信し、
前記情報処理部は、前記ＲＦタグ情報データから、その関係構成員ごとに当該構成員情報及び固有ＩＤを含む公開ＲＦタグ情報データを作成すると共に前記記憶部に保存し、
その後、荷の移動における任意のタイミングで、構成員はＲＦタグリード手段でＲＦタグの固有ＩＤを読み取ると共に、該固有ＩＤ及びＲＦタグリード手段固有のロケーションコードを前記端末で前記情報処理部に送信し、
これを受けた前記情報処理部は、前記公開ＲＦタグ情報に新たなロケーションコードを記録して前記記憶部に保存し、
各構成員は、前記端末から前記情報処理部に接続し、自己の構成員情報が記録されている前記公開ＲＦタグ情報データを閲覧可能にしたことを特徴とする物流支援システムである。
【００１１】
本発明において、各構成員はパーソナルコンピュータなどの端末と、ゲート、ハンディーターミナルなどのＲＦタグリード手段を所有する。端末はインターネットを介してＡＳＰに接続するためのもので、自己の物流管理社内システムに接続することも可能である。
【００１２】
ＡＳＰに設定する情報管理部は、アプリケーションソフトウェアで、送信されたＲＦタグデータなどから公開ＲＦタグデータを作成、保存する作業、構成員からの要求に応じて公開ＲＦタグデータを閲覧させる作業を行う。
【００１３】
公開ＲＦタグデータは、ＲＦタグデータに記録された関係構成員ごとに作成される。関係構成員は、送り側構成員、受け側構成員など、そのデータの閲覧が許される構成員である。
【００１４】
記憶部はＡＳＰに設定したメモリ領域で、公開ＲＦタグ情報データベースを含み、ＲＦタグ情報データベースや、必要に応じてその他のデータベース（例えば得意先ロットデータベース）を設定してもよい。
【００１５】
送り側、受け側などの関係構成員は、ＡＳＰの情報管理部にログインし、公開ＲＦタグ情報データを取得し、そのまま自己の物流管理システムに入力することも可能で、入力ミスを防止できる。
【００１６】
ＲＦタグ情報データ及び公開ＲＦタグ情報データに、ＲＦタグリード手段固有のロケーションコードが記録されるので、荷がどのＲＦタグリード手段を通過したか、すなわち荷が流通経路のどの位置にあるかを知ることができ、トレーサビリティが実現される。
【００１７】
ＲＦタグは、荷を載せるパレットに取り付けることができる。このようにすることで、荷をパレット単位で管理でき、パレットの回収の確認も可能となる。
【００１８】
ＲＦタグ情報データ及び公開ＲＦタグ情報データに、ＲＦタグを読み取ったスキャン日時情報を含ませることができる。これにより、荷がどのＲＦタグリード手段をいつ通過したかを知ることができ、よりきめ細かいトレーサビリティが実現される。
【００１９】
情報管理部が作成する受け側構成員の公開ＲＦタグ情報データに、ＲＦタグ情報データの荷情報の全部又は一部が記録されないようにすることができる。各構成員が持っている自己の物流管理システムは様々であり、公開ＲＦタグ情報データに荷情報の全部又は一部が記録されないようにすることで不要な情報をカットし、汎用性が高まる。
【発明の効果】
【００２０】
本発明によれば、送られる荷の情報を受け側が容易に取得でき、荷の到着確認などトレーサビリティも実現される。また、パレット回収の確認も可能となる。
【図面の簡単な説明】
【００２１】
【図１】本発明物流支援システムの実施形態の概略説明図である。
【図２】ＲＦタグ情報データ・公開ＲＦタグ情報データの例の説明図である。
【図３】荷が出荷されるまでの情報の流れの説明図である。
【図４】荷が出荷された後の情報の流れの説明図である。
【発明を実施するための形態】
【００２２】
図１は、本発明の物流支援システムの実施形態の概略説明図である。このシステムは、複数の構成員間でＲＦタグ付きの荷を送受する物流を支援するものである。通常、物流に携わる構成員（企業など）は、物流を管理する何らかの社内システムを持っているが、各構成員は、少なくともインターネットに接続できる端末を持っていればよい。図２で制御部はサーバなどに設定されたシステム制御プログラム、記憶部はハードディスクなどの記憶媒体、端末はパーソナルコンピュータなどである。
また、各構成員はＲＦタグに記録されているデータを読み取るＲＦタグリード手段（ゲート、ハンディーターミナルなど）を持っている必要がある。
【００２３】
各構成員は、端末からインターネットを介してＡＳＰ（Application Service Provider）に接続する。ＡＳＰには情報処理部と記憶部が設けられている。情報処理部は、各構成員との間で交わされる情報を処理するアプリケーションソフトウェアである。記憶部は、情報を格納しておく部分（データベース）である。
【００２４】
図２は、送り側の構成員（メーカー：企業コード＝Ｍ１）から受け側の構成員（得意先：企業コード＝Ｃ１）にパレットに積んだ荷を送る場合のＲＦタグ情報データ、公開ＲＦタグ情報データの例を示している。ＲＦタグはパレットに取り付けられている。ＲＦタグには、固有ＩＤ「１２３」が記録されている。
【００２５】
パレットに荷が積まれたとき、メーカーの端末コンピュータにＲＦタグの固有ＩＤに関連づけてロット番号、品名、生産日、数量などの荷情報が記録される。荷を積んだパレットが倉入されるとき、ＲＦタグリード手段であるゲート（ロケーションコード＝ＪＡ０１）を通り、ことのきＲＦタグの固有ＩＤ「１２３」が読み取られて端末コンピュータに送られる。端末コンピュータは、ＲＦタグ固有ＩＤに関連づけられている荷情報に基づいてＲＦタグ情報データを作成し、ＡＳＰの情報処理部に送信する。ＲＦタグ情報データは例えば次のようにすることができる。
固有ID  ・・・ＲＦタグの情報
情報元企業コード  ・・・情報取得企業の社内システムでセットする。
情報提供先企業コード１  ・・・情報取得企業が提供したい情報提供先企業をセットする。
情報提供先企業コード２  ・・・情報提供企業コード１と同じ。
スキャン日（西暦、月、日）・・・ＲＦタグを読み取った日付
スキャン時刻（時分秒）  ・・・ＲＦタグを読み取った時刻
ロケーションコード  ・・・情報取得企業の社内システムでセットする。情報提供企業との取り決めが必要
数量確認１  ・・・情報取得企業の社内システムでセットする。この値は情報取得企業のみ利用する。
数量確認２  ・・・数量確認１と同じ。
この場合、関係構成員情報は「情報元企業コード」「情報提供先企業コード１」「情報提供先企業コード２」であり、荷情報は「数量確認１」「数量確認２」である。
【００２６】
ＡＳＰの情報処理部は、受信したＲＦタグ情報データに基づいて、リアルタイムで関係構成員ごとに公開ＲＦタグ情報データを作成し、記憶部の公開ＲＦタグ情報データベースに保存する。公開ＲＦタグ情報データは例えば次のようにすることができる。
ユニークキーとして、企業コード＋固有ＩＤ＋スキャン日＋スキャン時刻を作る。ユニークキーが同一の場合は該当レコードを上書きする。
ユニークキー  ・・・企業コード＋固有ＩＤ＋スキャン日＋スキャン時刻
企業コード  ・・・ＲＦタグ情報データの情報元企業コード、情報提供先企業コード１、情報企業先コード２ごとにレコードを作成する。（最大３レコードとなる。）
スキャン日  ・・・ＲＦタグ情報データのスキャン日
スキャン時刻  ・・・ＲＦタグ情報データのスキャン時刻
ロケーションコード  ・・・ＲＦタグ情報データのロケーションコード
数量確認１、数量確認２  ・・・ＲＦタグ情報の情報元企業コードのレコードのみに数量確認１、数量確認２をセットする。
データ更新日時  ・・・システムよりデータ更新日時をセットする。
【００２７】
倉入でゲートＪＡ１を通過したときに関係構成員情報はＭ１の１社のみであるので、公開ＲＦタグ情報データは「企業コード  Ｍ１」の１つのみが作成される。
この公開ＲＦタグ情報データは、メーカーＭ１においてロット管理システム、在庫管理システム及びトレーサビリティに利用される。
【００２８】
出荷に際してゲートＪＡ２を通過したときは、関係構成員情報はＭ１、Ｃ１の２社であるから、「企業コード  Ｍ１」と「企業コード  Ｃ１」の２つの公開ＲＦタグ情報データが作成される。この公開ＲＦタグ情報データは、メーカーＭ１においてロット管理システム、在庫管理システム、トレーサビリティ及び納品先へのロット報告に利用され、得意先Ｃ１において納入されるロット確認に利用される。
【００２９】
得意先に荷が到着してゲートＴＢ５１を通過したときも、関係構成員情報はＣ１、Ｍ１の２社であるから、「企業コード  Ｃ１」と「企業コード  Ｍ１」の２つの公開ＲＦタグ情報データが作成される。この公開ＲＦタグ情報データは、メーカーＭ１においてトレーサビリティ及び製品到着確認に利用され、得意先Ｃ１においてロット管理システム、在庫管理システム及びトレーサビリティに利用される。
【００３０】
公開ＲＦタグ情報データの保管期間は、例えばスキャン日を基準に１０日間とし、保管期間を経過したものは公開ＲＦタグ情報データベースから削除される。
【００３１】
公開ＲＦタグ情報データは、その「企業コード」に記載されている構成員のみが閲覧することができる。
ＡＳＰの公開ＲＦタグ情報データの受信は以下のようにできる。
(１) 端末コンピュータをＡＳＰに接続する。その際に企業コード、パスワードを登録する。
(２) ＡＳＰに接続されたならば、データ受信の条件を設定する。
企業コード  ・・・ＡＳＰ接続時に指定済み
スキャン日、スキャン時刻  ・・・任意の期間
データ更新日時  ・・・任意の期間（指定なしを認める。）
(３) (２)の条件に該当するデータ（ＣＳＶ形式）を端末コンピュータに送信する。
各構成員は、このデータを使って社内システムを構築できる。
【００３２】
次に、図３に基づいて荷が出荷されるまでの情報の流れの例を説明する。これは、送り側の構成員（メーカー：企業コード＝Ｍ１）から受け側の構成員（得意先：企業コード＝Ｃ１）に荷を送る場合である。メーカーＭ１の社内システムの記憶部には生産予定データベース、ロットデータベース、積込指示データベース、納品書データベースがあり、得意先Ｃ１の社内システムの記憶部にはロッドデータベースがある。また、ＡＳＰの記憶部にはＲＦタグ情報データベース、公開ＲＦタグ情報データベースの他に得意先ロットデータベースが設定されている。
【００３３】
ＲＦタグが取り付けられたパレットは資材倉庫に一時保管されている。パレットが生産ラインに供給され、生産品が荷として積まれると、生産完了報告が生産予定データベースに記録され、ロット票にロット番号、品名、生産日、パレット番号などが印字される。また、ハンディーターミナルでＲＦタグの固有ＩＤを読み込み、固有ＩＤとロット番号、品名、生産日、パレット番号を紐付けし、ロットデータベースに記憶する。
【００３４】
メーカーの倉入に際し、ゲートＪＡ０１を通過するときにＲＦタグが読み込まれ、ロットデータベースに記憶されているデータのロケーションが更新される。また、その固有ＩＤに紐付けされているＲＦタグ情報データがＡＳＰに送信され、ＡＳＰのＲＦタグ情報データベースに記憶されると共に公開ＲＦタグ情報データが作成され、公開ＲＦタグ情報データベースに記憶される。この公開ＲＦタグ情報データはメーカーＭ１が閲覧できる。
【００３５】
積込指示データベースから積込み指示が出され、荷を積んだパレットが出荷されるに際してゲートＪＡ０２を通過するときにＲＦタグが読み込まれ、ロットデータベースに記憶されているデータのロケーションが更新される。また、その固有ＩＤに紐付けされているＲＦタグ情報データがＡＳＰに送信され、ＡＳＰのＲＦタグ情報データベースに記憶されると共に公開ＲＦタグ情報データが作成され、公開ＲＦタグ情報データベースに記憶される。この公開ＲＦタグ情報データはメーカーＭ１と得意先Ｃ１が閲覧でき、ロケーションコードＪＡ０２が記録されているので、得意先Ｃ１は荷が出荷されたことを知ることができる。また、ロットデータベースに照会して納品ロッド明細を知ることができる。
【００３６】
また、メーカーＭ１のロットデータベースと納品書データベースから、得意先Ｃ１に納品したロット情報がＡＳＰの得意先ロットデータベースに送られて記憶される。このロット情報はメーカーＭ１と得意先Ｃ１が閲覧できる。
【００３７】
次に、図４に基づいて荷が出荷された後の情報の流れの例を説明する。
荷が得意先Ｃ１に到着し、倉入に際してゲートＴＢ１を通過するときにＲＦタグが読み込まれ、その固有ＩＤ、ロケーションコードなどがＡＳＰに送信され、新たな公開ＲＦタグ情報データが作成される。この公開ＲＦタグ情報データはメーカーＭ１と得意先Ｃ１が閲覧でき、ロケーションコードＴＢ５１が記録されているので、メーカーＭ１は荷が得意先Ｃ１に到着したことを知ることができ、得意先Ｃ１は納品ロットの確認ができる。
【００３８】
荷が得意先Ｃ１で生産ラインに供給されるに際し、ゲートＴＢ５２を通過するときにＲＦタグが読み込まれ、その固有ＩＤ、ロケーションコードなどがＡＳＰに送信され、新たな公開ＲＦタグ情報データが作成される。この公開ＲＦタグ情報データはメーカーＭ１と得意先Ｃ１が閲覧でき、ロケーションコードＴＢ５２が記録されているので、メーカーＭ１は製品の使用状況を確認でき、また、パレットを得意先Ｃ１から回収可能になったことも知ることができる。
【００３９】
以上は、メーカーＭ１から得意先Ｃ１に荷を送る場合であるが、メーカーＭ１から得意先Ｃ１に荷を送り、さらにその荷を得意先Ｃ１から得意先Ｃ２に送るような場合にも本発明を適用できる。その場合、ＲＦタグ情報データの「情報元企業」は「Ｍ１」、「情報提供先企業コード１」は「Ｃ１」、「情報提供先企業コード２」は「Ｃ２」となり、公開ＲＦタグ情報データはＭ１、Ｃ１、Ｃ２のそれぞれについて作成され、合計３つになる。
【図１】
2012243252.tif 000003
【図２】
2012243252.tif 000004
【図３】
2012243252.tif 000005
【図４】
2012243252.tif 000006